(57)【要約】【課題】無線機接続を簡素化でき、効率的なデータ伝送を行うことができる無線通信システムを得る。【解決手段】ローカルネットワーク５００に属するメールサーバ３００からローカルネットワーク５０１に属するメールサーバ３０１にデータを送信する場合、ＤＮＳサーバ２００により、メールサーバ３０１のネットワークアドレスを取得する。また、無線機識別情報テーブル４００より、メールサーバ３０１と接続されている無線機１０１の識別情報を取得する。無線機１００は、無線機１０１の識別情報に基づいて無線機１０１と通信接続を行い、メールサーバ３００からのデータは無線機１００と無線機１０１を介してメールサーバ３０１に届けられる。【選択図】図１
2007142962.tif 000002
【特許請求の範囲】
【請求項１】
一つのネットワークにサーバと無線機とが接続され、これらサーバと無線機とが接続されたネットワークが複数存在し、各サーバが、自サーバに接続されている無線機を介して他のネットワークに属するサーバとデータ通信を行う無線通信システムであって、
前記サーバのドメインとネットワークアドレスとの対応関係を保持するＤＮＳサーバと、
前記サーバのドメインと、当該サーバと接続されている無線機の識別情報との対応関係を保持する無線機識別情報テーブルとを備え、
前記複数のサーバのうち、一方のネットワークに属するサーバから他方のネットワークに属するサーバにデータを送信する場合、前記ＤＮＳサーバにより他方のサーバのドメインに対応したネットワークアドレスを抽出し、かつ、前記無線機識別情報テーブルに基づいてドメインに対応した無線機の識別情報を抽出して、一方のネットワークに接続された無線機から他方のネットワークに接続された無線機に、前記ネットワークアドレスを付与したデータを送信するようにした無線通信システム。
【請求項２】
一つのネットワークにサーバと無線機とが接続され、これらサーバと無線機とが接続されたネットワークが複数存在し、各サーバが、自サーバに接続されている無線機を介して他のネットワークに属するサーバとデータ通信を行う無線通信システムであって、
前記一つのネットワークに接続されたサーバが複数存在した場合、当該複数のサーバのドメインを、１台を親ドメインとして他のサーバを子ドメインとすると共に、
前記各サーバのドメインとネットワークアドレスとの対応関係を保持するＤＮＳサーバと、
前記サーバの親ドメインと、当該サーバと接続されている無線機の識別情報との対応関係を保持する無線機識別情報テーブルとを備え、
前記複数のサーバのうち、一方のネットワークに属するサーバから他方のネットワークに属するサーバにデータを送信する場合、前記ＤＮＳサーバにより他方のネットワークに属する送信先サーバのドメインに対応したネットワークアドレスを抽出し、かつ、前記無線機識別情報テーブルに基づいて前記送信先サーバの親ドメインに対応した無線機の識別情報を抽出して、一方のネットワークに接続された無線機から他方のネットワークに接続された無線機に、前記送信先サーバのネットワークアドレスを付与したデータを送信するようにした無線通信システム。
【発明の詳細な説明】
【技術分野】
【０００１】
この発明は、インターネット、イントラネットといったネットワークのアクセスを無線回線を介して実現する無線通信システムに関するものである。
【背景技術】
【０００２】
現在、インターネット、イントラネットの普及に伴い大容量のデータ伝送が実現されている。そして、従来の有線ネットワークだけでなく、無線機を利用した無線ネットワーク上でのデータ伝送が実現されている。
【０００３】
ネットワーク伝送を実現する無線機は、予め特定の識別子を持ち、接続先相手間の特定には、その識別子を用いるため、お互いに事前に接続先を特定することが必要である。これらは物理層での識別であり、有線ネットワークでは基本的に接続が固定であるのに対し、無線ネットワークではお互いの識別子を特定し、接続のネゴシエーションを独立して行うことがプロセスとして発生することとなる（例えば、特許文献１参照）。
【０００４】
【特許文献１】特開平１１−５５３１７号公報
【発明の開示】
【発明が解決しようとする課題】
【０００５】
このように、従来の無線機器の接続は、データ伝送内容に従った無線機同士の接続が考慮されておらず、ネットワークレイヤとは別のレベルでの処理のため、不特定多数の接続先に対して、自動的に接続を行うことはできないという問題があった。
【０００６】
この発明は上記のような課題を解決するためになされたもので、効率的なデータ伝送を行うことのできる無線通信システムを得ることを目的とする。
【課題を解決するための手段】
【０００７】
この発明に係る無線通信システムは、サーバのドメインとネットワークアドレスとの対応関係を保持するＤＮＳサーバと、サーバのドメインと、サーバと接続されている無線機の識別情報との対応関係を保持する無線機識別情報テーブルとを備え、一方のネットワークに属するサーバから他方のネットワークに属するサーバにデータを送信する場合、ＤＮＳサーバにより他方のサーバのドメインに対応したネットワークアドレスを抽出し、かつ、無線機識別情報テーブルに基づいてドメインに対応した無線機の識別情報を抽出して、一方のネットワークに接続された無線機から他方のネットワークに接続された無線機に、ネットワークアドレスを付与したデータを送信するようにしたものである。
【発明の効果】
【０００８】
この発明の無線通信システムは、サーバのドメインと、サーバと接続されている無線機の識別情報との対応関係を保持する無線機識別情報テーブルを用いて、送信先サーバのドメインに対応した無線機の識別情報を抽出し、この無線機に対してデータを送信するようにしたので、無線機接続を簡素化でき、効率的なデータ伝送を行うことができる。
【発明を実施するための最良の形態】
【０００９】
実施の形態１．
図１は、この発明の実施の形態１による無線通信システムを示す構成図である。
図において、無線通信システムは、無線機１００、ＤＮＳサーバ２００、メールサーバ３００、無線機識別情報テーブル４００が属するローカルネットワーク５００と、無線機１０１、ＤＮＳサーバ２０１、メールサーバ３０１、無線機識別情報テーブル４０１が属するローカルネットワーク５０１と、無線機１０２、ＤＮＳサーバ２０２、メールサーバ３０２、無線機識別情報テーブル４０２が属するローカルネットワーク５０２とが、無線機１００、１０１、１０２により動的に切り替わりながら接続されるよう構成されている。
【００１０】
無線機１００、１０１、１０２は、各無線機に固有の識別子を用いて相互に通信接続するよう構成された無線通信機器である。ＤＮＳサーバ２００、２０１、２０２は、各メールサーバ３００、３０１、３０２のドメイン名と、ネットワークアドレスであるＩＰアドレスとの対応関係を保持する公知のＤＮＳ（Domain Name System）サーバである。また、メールサーバ３００、３０１、３０２は、それぞれ固有のドメインであるメールアドレスを有し、相互にデータ伝送を行うサーバである。
【００１１】
無線機識別情報テーブル４００、４０１、４０２は、メールサーバ３００、３０１、３０２のドメイン名と無線機１００、１０１、１０２の識別情報との関係を示すテーブルである。
図２は、無線機識別情報テーブルの説明図である。
図示のように、無線機識別情報テーブルは、各メールサーバ３００、３０１、３０２のドメインを示すメールサーバドメイン名と、無線機１００、１０１、１０２の識別情報である無線機識別子のフィールドから構成されている。また、無線機識別子とは、例えば各無線機１００、１０１、１０２の物理アドレスであるが、各無線機を識別できる情報であればどのようなものであってもよい。
【００１２】
尚、これらの無線機識別情報テーブル４００、４０１、４０２は、それぞれのローカルネットワーク上に存在していればどこに設けられていてもよい。また、全ての無線機識別情報テーブル４００、４０１、４０２が同一のデータを持つ必要はなく、最低限、相互接続する無線機が含まれる情報であればよい。
【００１３】
次に、実施の形態１の動作について説明する。
図３は、一例として、メールサーバ３００からメールサーバ３０１にメール送信する場合のシーケンスを示している。
メールサーバ３００からメールサーバ３０１に対してメールを送信する場合、先ず、メールサーバ３００は、ローカルネットワーク５００に属するＤＮＳサーバ２００からメールサーバ３０１のＩＰアドレスを取得する（ステップＳＴ１０１）。これにより、メールサーバ３００は、送信先のメールサーバ３０１のＩＰアドレスを指定したメールを無線機１００に対して送信する（ステップＳＴ１０２）。
【００１４】
無線機１００は、受信したメールに基づき、無線機識別情報テーブル４００を照会し、送信先メールサーバ３０１のドメイン名に対応した無線機の情報（無線機識別子）を取得する（ステップＳＴ１０３）。尚、ここでは、メールサーバ３０１に対応した無線機識別子は無線機１０１の無線機識別子に設定されているため、この無線機識別子を取得する。そして、無線機１００は、取得した無線機識別子に基づいて無線機１０１と接続を行い、メールサーバ３００からのメールを無線機１０１に対して送信する（ステップＳＴ１０４）。無線機１０１で受信されたメールは、そのＩＰアドレスに基づきローカルネットワーク５０１内のメールサーバ３０１に届けられる（ステップＳＴ１０５）。
【００１５】
以上のように、実施の形態１の無線通信システムによれば、一つのネットワークにサーバと無線機とが接続され、これらサーバと無線機とが接続されたネットワークが複数存在し、各サーバが、自サーバに接続されている無線機を介して他のネットワークに属するサーバとデータ通信を行う無線通信システムであって、サーバのドメインとネットワークアドレスとの対応関係を保持するＤＮＳサーバと、サーバのドメインと、サーバと接続されている無線機の識別情報との対応関係を保持する無線機識別情報テーブルとを備え、複数のサーバのうち、一方のネットワークに属するサーバから他方のネットワークに属するサーバにデータを送信する場合、ＤＮＳサーバにより他方のサーバのドメインに対応したネットワークアドレスを抽出し、かつ、無線機識別情報テーブルに基づいてドメインに対応した無線機の識別情報を抽出して、一方のネットワークに接続された無線機から他方のネットワークに接続された無線機に、ネットワークアドレスを付与したデータを送信するようにしたので、無線機接続を簡素化でき、効率的なデータ伝送を行うことができる。
【００１６】
実施の形態２．
実施の形態２は、ローカルネットワークに複数のメールサーバが存在する場合の無線通信システムを示すものである。
【００１７】
図４は、実施の形態２による無線通信システムの構成図である。
実施の形態２において、無線機１００、ＤＮＳサーバ２００、メールサーバ３００、無線機識別情報テーブル４００が属するローカルネットワーク５００は実施の形態１と同様である。また、ローカルネットワーク５０１には、ローカル無線機１０１、ＤＮＳサーバ２０１、および２台のメールサーバ３０１、３０３が属しており、ローカルネットワーク５０２には、無線機１０２、ＤＮＳサーバ２０２および３台のメールサーバ３０２、３０４、３０５が属している。尚、メールサーバ３０３、３０４、３０５の構成については、メールサーバ３００、３０１、３０２と同様であるため、ここでの説明は省略する。
【００１８】
図５は、各メールサーバのドメイン構造を示す説明図である。
図示のように、ローカルネットワーク５０１のメールサーバ３０１、３０３では、メールサーバ３０１を親ドメイン（．３０１）とし、メールサーバ３０３を子ドメイン（．３０３．３０１）としている。また、ローカルネットワーク５０２のメールサーバ３０２、３０４、３０５では、メールサーバ３０２を親ドメイン（．３０２）とし、メールサーバ３０４およびメールサーバ３０５を子ドメイン（．３０４．３０２）（．３０５．３０２）としている。
【００１９】
また、無線機識別情報テーブル４００、４０１、４０２は、メールサーバドメイン名と無線機識別子との関係として、各ローカルネットワークの親ドメインと無線機識別子との関係を保持している。即ち、ローカルネットワーク５０１のメールサーバ３０１とメールサーバ３０３では、親ドメインであるメールサーバ３０１のドメイン名（．３０１）と無線機１０１の無線機識別子との関係が保持されている。
【００２０】
次に、実施の形態２の動作について説明する。
図６は、一例として、メールサーバ３００からメールサーバ３０３にメール送信する場合のシーケンスを示している。
メールサーバ３００からメールサーバ３０３に対してメールを送信する場合、先ず、メールサーバ３００は、ローカルネットワーク５００に属するＤＮＳサーバ２００からメールサーバ３０３のＩＰアドレスを取得する（ステップＳＴ２０１）。これにより、メールサーバ３００は、送信先のメールサーバ３０３のＩＰアドレスを指定したメールを無線機１００に対して送信する（ステップＳＴ２０２）。尚、これらの処理は実施の形態１と同様である。
【００２１】
無線機１００は、受信したメールに基づき、無線機識別情報テーブル４００を照会し、送信先メールサーバ３０３のドメイン名に対応した無線機の情報（無線機識別子）を取得する（ステップＳＴ２０３）。ここで、メールサーバ３０３のドメイン名は「．３０３．３０１」であるため、その親ドメイン「．３０１」から無線機１０１の無線機識別子を取得する。
【００２２】
そして、無線機１００は、取得した無線機識別子に基づいて無線機１０１と接続を行い、メールサーバ３００からのメールを無線機１０１に対して送信する（ステップＳＴ２０４）。無線機１０１で受信されたメールは、そのＩＰアドレスに基づきローカルネットワーク５０１内のメールサーバ３０３に届けられる（ステップＳＴ２０５）。
【００２３】
以上のように、実施の形態２の無線通信システムによれば、一つのネットワークにサーバと無線機とが接続され、これらサーバと無線機とが接続されたネットワークが複数存在し、各サーバが、自サーバに接続されている無線機を介して他のネットワークに属するサーバとデータ通信を行う無線通信システムであって、一つのネットワークに接続されたサーバが複数存在した場合、複数のサーバのドメインを、１台を親ドメインとして他のサーバを子ドメインとすると共に、各サーバのドメインとネットワークアドレスとの対応関係を保持するＤＮＳサーバと、サーバの親ドメインと、サーバと接続されている無線機の識別情報との対応関係を保持する無線機識別情報テーブルとを備え、複数のサーバのうち、一方のネットワークに属するサーバから他方のネットワークに属するサーバにデータを送信する場合、ＤＮＳサーバにより他方のネットワークに属する送信先サーバのドメインに対応したネットワークアドレスを抽出し、かつ、無線機識別情報テーブルに基づいて送信先サーバの親ドメインに対応した無線機の識別情報を抽出して、一方のネットワークに接続された無線機から他方のネットワークに接続された無線機に、送信先サーバのネットワークアドレスを付与したデータを送信するようにしたので、一つのネットワークに複数のサーバが存在する場合でも、無線機接続を簡素化でき、効率的なデータ伝送を行うことができる。
【００２４】
尚、上記各実施の形態では、無線機とネットワーク接続されるサーバをメールサーバとしたが、これに限定されるものではなく、データを送受信するサーバであればどのようなサーバであってもよい。即ち、送受信の対象となるデータはメールに限定されず、種々のものであってもよい。また、サーバのドメイン名としてメールアドレスとしたが、これ以外の記述であってもよい。
【図面の簡単な説明】
【００２５】
【図１】この発明の実施の形態１による無線通信システムを示す構成図である。
【図２】この発明の実施の形態１による無線通信システムの無線機識別情報テーブルの説明図である。
【図３】この発明の実施の形態１による無線通信システムの動作を示す説明図である。
【図４】この発明の実施の形態２による無線通信システムを示す構成図である。
【図５】この発明の実施の形態２による無線通信システムの各メールサーバのドメイン構造を示す説明図である。
【図６】この発明の実施の形態２による無線通信システムの動作を示す説明図である。
【符号の説明】
【００２６】
１００，１０１，１０２  無線機、２００，２０１，２０２  ＤＮＳサーバ、３００，３０１，３０２，３０３，３０４，３０５  メールサーバ、４００，４０１，４０２  無線機識別情報テーブル、５００，５０１，５０２  ローカルネットワーク。
【図１】
2007142962.tif 000003
【図２】
2007142962.tif 000004
【図３】
2007142962.tif 000005
【図４】
2007142962.tif 000006
【図５】
2007142962.tif 000007
【図６】
2007142962.tif 000008